(57)【特許請求の範囲】
【請求項１】
使用されたビットの超硬チップと母材とのろう付面を検査するビット検査方法であって、
表面と背面とが非平行である使用済の超硬チップの前記表面から前記背面までの厚さ寸法を測定する形状測定工程と、
測定された前記厚さ寸法の平均値を基準厚さ寸法とする基準厚さ寸法決定工程と、
各測定点における前記厚さ寸法と前記基準厚さ寸法との差からエコー値の補正係数を算出する補正係数算出工程と、
前記基準厚さ寸法を有する位置に対応するろう付面が超音波探触子の焦点に合うように設定するとともに、その超音波探触子を前記超硬チップの表面に沿って移動させて、前記ろう付面を探傷面として超音波探傷検査を行う超音波探傷検査工程と、
前記超音波探傷検査工程で得られた各測定点の測定エコー値に、対応する前記超硬チップの厚さ寸法から得られる前記補正係数を乗じて補正エコー値を算出する補正工程と、
前記補正エコー値に基づいてろう付状態の良否を判定する判定工程と、を備えた
ことを特徴とするビット検査方法。
【発明の詳細な説明】
【技術分野】
【０００１】
本発明は、トンネル掘削機などで使用されたビットの超硬チップと母材とのろう付面を検査するビット検査方法に関する。
【背景技術】
【０００２】
近年、環境影響負荷を低減させるために、一度使用したビットを再利用することが求められている。ビットを再利用するには、その健全性をチェックする必要がある。健全として評価する場合、超硬チップ周辺の強度のチェックが考えられる。ビットの強度は、超硬チップ自体の強度と、この超硬チップと母材の接合界面、すなわち、ろう付面における接合強度のうちの低い方の強度で決定することができる。これらの強度を比較すると、ろう付面の接合強度が低くなるのが一般的であることから、ろう付面の接合強度を評価できれば、ビットを再利用できるかどうかが判断できる。
【０００３】
超硬チップと母材などの部材同士のろう付面を検査する方法として、超音波探傷検査が知られている。超音波探傷検査は、超音波探触子から超音波を送信して、ろう付面で反射させ、反射した超音波（エコー）を受信波として超音波探触子で取り込み、ろう付面の状況を計測することで、傷や空隙などの接合不良箇所を発見する。ところで、超音波探傷検査では、探傷面（ろう付面）への入射角度や、探傷面の焦点距離からの位置関係が異なると、探傷位置ごとに受信波の測定値精度が異なってしまうため、適切な評価を行うことができない。そこで、超音波の探傷面への入射角度を一定にし且つ探傷面で焦点距離が合うようにするために、超音波探触子の位置や向きを適宜変化させる方法があった（例えば、特許文献１参照）。
【先行技術文献】
【特許文献】
【０００４】
【特許文献１】特開２００４−２７９１４４号公報
【発明の概要】
【発明が解決しようとする課題】
【０００５】
探傷対象物の表面と探傷面が平行でない場合、特許文献１のような超音波探傷方法では、超音波探触子の向きや探傷対象物との距離を変化させる必要があるが、これは煩雑な設定であり多くの手間を要する。また、前記の超音波探傷方法では、探傷面に焦点距離を合わせるために、超音波探触子と探傷対象物表面との距離が異なっているので、水中における超音波の減衰効果が一定ではない。さらに、前記の超音波探傷方法では、探傷対象物表面から探傷面までの物質内における超音波伝播距離の相違による減衰効果の違いも考慮されていない。そのため、前記の超音波探傷方法では、探傷面全体にわたって一様な評価（同じ精度での欠損箇所判定）を与えることができないという問題もある。
【０００６】
このような観点から、本発明は、超音波探触子の移動が容易であり、探傷面全体にわたって同等の精度で探傷を行えるビット検査方法を提供することを課題とする。
【課題を解決するための手段】
【０００７】
このような課題を解決するための請求項１に係る発明は、使用されたビットの超硬チップと母材とのろう付面を検査するビット検査方法であって、表面と背面とが非平行である使用済の超硬チップの前記表面から前記背面までの厚さ寸法を測定する形状測定工程と、測定された前記厚さ寸法の平均値を基準厚さ寸法とする基準厚さ寸法決定工程と、各測定点における前記厚さ寸法と前記基準厚さ寸法との差からエコー値の補正係数を算出する補正係数算出工程と、前記基準厚さ寸法を有する位置に対応するろう付面が超音波探触子の焦点に合うように設定するとともに、その超音波探触子を前記超硬チップの表面に沿って移動させて、前記ろう付面を探傷面として超音波探傷検査を行う超音波探傷検査工程と、前記超音波探傷検査工程で得られた各測定点の測定エコー値に、対応する前記超硬チップの厚さ寸法から得られる前記補正係数を乗じて補正エコー値を算出する補正工程と、前記補正エコー値に基づいてろう付状態の良否を判定する判定工程と、を備えたことを特徴とするビット検査方法である。
【０００８】
このような方法によれば、ろう付面全体にわたって超硬チップ内における超音波伝播距離の相違による誤差を補正する補正係数を算出しているので、探傷面全体にわたって同等の精度で探傷検査を行うことができる。また、超音波探触子を超硬チップの表面に沿って移動させているので、各測定点における水中での超音波伝播距離が等しく超音波の減衰効果が一定である。これによって、水中での超音波の減衰効果を考慮しなくてもよい。また、超音波探触子の移動も複雑ではなく容易になる。
【発明の効果】
【０００９】
本発明のビット検査方法によれば、超音波探触子の移動を容易に行えるとともに、探傷面全体にわたって同等の精度で探傷を行うことができる。
【図面の簡単な説明】
【００１０】
【図１】本発明の実施形態に係るビット検査方法の超音波探傷工程を説明するための図である。
【図２】超音波探触子から送信される超音波ビームの模式図である。
【図３】超音波探触子のＺ軸特定測定結果の一例を示したグラフである。
【図４】（ａ）は、水中でのＺ軸特定測定結果の近似曲線を示したグラフ、（ｂ）は超硬チップ内でのＺ軸特定測定結果の近似曲線を示したグラフである。
【図５】（ａ）は、減衰係数の測定を説明するための概略図、（ｂ）は、減衰係数の測定データを示したグラフである。
【図６】各測定点における減衰効果の補正率を示した図である。
【図７】各測定点における減衰係数の補正率を示した図である。
【図８】本発明の実施形態に係る超音波探傷方法の超音波探傷検査状況を示した図である。
【図９】超音波エコーの補正画像を示した平面図である。
【発明を実施するための形態】
【００１１】
本発明の実施形態に係るビット検査方法は、トンネル掘削機などで使用したビットが再利用可能か否かを判定するための発明である。以下、ビット検査方法を、添付した図面を参照しながら説明する。なお、図１において、紙面左右方向をＸ軸方向、紙面垂直方向をＹ軸方向、紙面上下方向をＺ軸方向とする。
【００１２】
図１に示すように、ビット１は、地山を掘削する超硬チップ１０を備えている。超硬チップ１０は、炭化タングステンとコバルトなどの粉末を混合・圧縮成形し、焼結等して得られた超硬合金からなる。超硬チップ１０は、例えば銀ろうを用いて母材２０にろう付されている。母材２０は、例えば炭素鋼やニッケルやクロム、モリブデン、マンガン等を含む合金鋼からなる。超硬チップ１０は、厚さが一定ではなく、その表面１１と背面１２（母材２０との接合面）とが平行でない（非平行である）場合が多い。超硬チップ１０の表面１１は、地山と接触して磨耗する場合もあるが、概ね平面状（断面で見ると直線状）になっている。
【００１３】
超音波探傷検査は、超音波が異なる物質面において反射するという性質を利用して行うものである。具体的には、水中にビット１と超音波探触子２を浸けて、超音波探触子２から超音波を送信する。送信された超音波は、水中を伝播し、超硬チップ１０の表面１１側から内部に入って超硬チップ１０内を伝播し、ろう付面（接合面）３で反射する。反射した反射波（エコー）は、超硬チップ１０内を伝播し、超硬チップ１０の表面１１側から水中に戻り水中を伝播したのちに、超音波探触子２で取り込まれる。そして、取り込まれたエコー値からろう付面３の状況を計測することで、ろう付面３の傷や空隙などの接合不良箇所を発見する。詳しくは、超硬チップ１０内を伝播した超音波が正常なろう付面に達した場合は、銀ろうがあるので反射強度が小さくなり、超音波が傷や空隙がある部分に達した場合は、空気があるので反射強度が大きくなる。この反射波の違いを読み取ることで、空隙等の状況を判断する。
【００１４】
超音波は、水中や超硬チップ１０内で減衰するが、複数の測定点で測定を行う場合、測定点ごとに水中での伝播距離や超硬チップ１０内での伝播距離が異なることがある。この場合、超音波の減衰量が異なるため、そのままでは同一の精度で測定することができない。
【００１５】
そこで、本実施形態に係るビット検査方法は、図１に示すように、超音波探触子２と超硬チップ１０の表面１１との距離を一定にするとともに、超硬チップ１０の厚さ寸法に応じて補正係数を設定して、各測定点で得られた測定エコー値に補正係数を乗じて補正エコー値を算出するようにした。
【００１６】
具体的には、ビット検査方法は、形状測定工程と、基準厚さ寸法決定工程と、補正係数算出工程と、超音波探傷検査工程と、補正工程と、判定工程と、を備えている。
【００１７】
（形状測定工程）
形状測定工程は、表面１１と背面１２とが非平行である超硬チップ１０の表面１１から背面１２までの厚さ寸法を複数の測定点Ｐで測定する工程である。本実施形態の説明上では測定点Ｐ（以下、区別が必要な場合は「ＰA，ＰB，ＰC」とする）を３つとした例を挙げて説明する。３つの測定点ＰA，ＰB，ＰCは、超硬チップ１０の厚さが変化するＸ軸方向に間隔をあけて設定されている。超硬チップ１０の厚さ寸法が厚い方から、測定点ＰA，ＰB，ＰCの順で設定されている。なお、測定点Ｐの位置および数は、超硬チップの形状に応じて適宜設定される。測定点ＰBは、測定点ＰA，ＰCの中間点である。超硬チップ１０の表面１１の背面１２に対する傾斜角度をθ、隣り合う測定点ＰA，ＰB間の距離をｅ1、隣り合う測定点ＰB，ＰC間の距離をｅ2（＝ｅ1）としている。
【００１８】
測定点ＰAにおける超硬チップ１０の厚さ寸法と、測定点ＰBにおける超硬チップ１０の厚さ寸法との差ｘ1は、下記の式（１）で表される。
ｘ1＝ｅ1・ｔａｎθ・・・式（１）
【００１９】
また、測定点ＰBにおける超硬チップ１０の厚さ寸法と、測定点ＰCにおける超硬チップ１０の厚さ寸法との差ｘ2は、下記の式（２）で表される。
ｘ2＝ｅ2・ｔａｎθ・・・式（２）
【００２０】
本実施形態では、ｘ1＝ｘ2となっており、測定点ＰAからＰB，ＰCに移るにしたがって、ｘ1（＝ｘ2）ずつ超硬チップ１０の厚さ寸法が小さくなっている。
【００２１】
（基準厚さ寸法決定工程）
基準厚さ寸法決定工程は、測定された厚さ寸法の平均値を基準厚さ寸法とする工程である。本実施形態では、測定点ＰBにおける超硬チップ１０の厚さ寸法が基準厚さ寸法となる。
【００２２】
（補正係数算出工程）
補正係数算出工程は、各測定点における厚さ寸法と基準厚さ寸法との差からエコー値の補正係数を算出する肯定である。超硬チップ１０の厚さ寸法に応じた補正について説明する。この補正は焦点距離による補正と、減衰による補正を組み合わせて行う。
【００２３】
（１）焦点距離による補正
まず、焦点距離による補正を説明する。焦点距離による補正は、超音波探触子２の距離振幅特性を超硬チップ１０内の距離振幅特性に変換し、超音波探触子の焦点距離から離れた点におけるエコー高の低下の効果を補正するものである。
【００２４】
本実施形態のように、探傷対象物である超硬チップ１０の表面１１と、探傷面であるろう付面３とが平行でない場合、超音波探触子２と超硬チップ１０の表面１１との距離を一定にすると、ろう付面３で超音波探触子２の焦点が合わないことになる。そのため、測定したエコー値をそのまま使用してろう付面の評価を行うと、測定値の精度がろう付面３内において異なることになり、適切な評価を得ることができないので補正を行う。
【００２５】
図２に示すように、超音波探触子２から送信された超音波（超音波ビーム）は、焦点距離においてエコー高が最も大きくなり（ここでのエコー高を１００％とする）、焦点距離からずれるにしたがってエコー高は小さくなっていく。つまり、焦点距離における測定精度が最も高く、焦点距離から近い方向および遠い方向に離れるにしたがって測定精度が低くなる。
【００２６】
本実施形態では、図１に示すように、各測定点Ｐごとに超音波の超硬チップ１０内の伝播距離が異なっているので、エコー高も異なっている。伝播距離は超硬チップ１０の厚さ寸法によって変わってくるので、厚さ寸法に着目して補正を行う。
【００２７】
そこで、焦点距離からの離隔距離ｘにおけるエコー高ｆ（％）をｘの関数ｆ（ｘ）で表わし、ｘにおける超音波測定値（エコー値）Ｅ（ｘ）をｆ（ｘ）で補正する。このとき、補正エコー値Ｅ’（ｘ）は、下記の式（３）によって表される。
Ｅ’（ｘ）＝Ｅ（ｘ）／ｆ（ｘ）・・・式（３）
【００２８】
この際、エコー高の分布状況｛ｆ（ｘ）｝がどのような分布を示すかが精度にも大きく影響を及ぼすことから、実際の超音波探触子２の特性を確認する。
【００２９】
超音波探触子の特性測定結果例を図３に示す。ここでは超音波探傷検査で用いる超音波探触子２の一例を挙げて特性測定を行っている。特性測定は、４ｍｍ径の鋼球の反射エコーをピーク点においてエコー高を１００％に合わせ、超音波探触子を鋼球から直線状に離れるように走査してエコー高を記録されている。
【００３０】
この超音波探触子２のエコー高９０％の範囲は水中距離で１４４（ｍｍ）〜１６５（ｍｍ）程度、エコー高５０％の範囲は水中距離で１３０（ｍｍ）〜１８５（ｍｍ）程度である。この測定結果においてエコー高５０％〜１００％間のデータを焦点距離（ピーク値）１５４（ｍｍ）を原点として近似曲線化すると、図４の（ａ）が得られる。ただし、上記のデータは水中における集束距離に対するエコー高の関係であり、これを超硬チップ内の関係に変換する必要がある。水中の焦点距離をＦw、水中の音速をＣw、金属中の音速をＣmとすると、金属の焦点距離Ｆmは、下記の式（４）によって表され、結局、音速の比で決まる。
Ｆm＝（Ｃw／Ｃm）×Ｆw・・・式（４）
【００３１】
図３の結果の場合、Ｆwは１５４（ｍｍ）で、Ｃwは１４８０（ｍ／ｓ）、Ｃmは６７２７（ｍ／ｓ）とすると、焦点距離Ｆmは、３３．８８（ｍｍ）と算出される。したがって、図４の（ａ）の横軸をＦm／Ｆw倍することで超硬チップ内のエコー高の分布状況が得られる。その結果を図４の（ｂ）に示す。
【００３２】
ビット１の超硬チップ１０の厚さ寸法は、一般に１０〜１５（ｍｍ）程度であり、その差は５（ｍｍ）程度である。大型のビットを考慮してもその差は１０（ｍｍ）程度である。超硬チップ１０のＸ軸方向（図１参照）中央において探傷面（ろう付面３）に焦点距離が一致するようにセットして超音波探傷を行えば、図４の（ｂ）において横軸−５（ｍｍ）から＋５（ｍｍ）の範囲で測定を行うことができる。このときのエコー高は５５％〜１００％の範囲となっている。焦点距離から離れた距離に対応する割合が、補正係数となる。
【００３３】
（２）減衰による補正
次に減衰による補正について説明する。減衰による補正は、超硬チップ１０内において超音波の伝播距離が異なることによる減衰効果の誤差を補正するものである。図５の（ａ）に示すように、上面と下面が平行な厚さＬの試験片に、上面直角方向から超音波を送信すると、試験片を０回往復する（表面で反射する）反射波Ｗ1、１回往復する反射波Ｗ2、２回往復する反射波Ｗ3・・・（図５の（ｂ）参照）といった反射波が得られる。
【００３４】
このとき、音圧の減衰係数αは一般に下記の式（５）によって表される。
次式で表わされる。
α＝−２０×ｌｏｇ（Ｐ２／Ｐ１）／２Ｌ  ［ｄＢ／ｍｍ］・・・式（５）
Ｐ1：一回目の反射波の音圧（Ｐａ）
Ｐ2：二回目の反射波の音圧（Ｐａ）
Ｌ：材料の厚さ（ｍｍ）
【００３５】
そして、式（１）を変形すると、下記の式（６）が得られる。
Ｐ2／Ｐ1＝１０＾（−α・２Ｌ／２０）
Ｐ1／Ｐ2＝１０＾（α・２Ｌ／２０）・・・式（６）
【００３６】
式（６）において、Ｐ1を減衰無しの場合の音圧Ｐ’、Ｐ2を減衰有りの場合の音圧Ｐdとし、試験片通過距離２Ｌを、超硬チップ１０の厚さ２ｔに置き換えると、下記の式（７）となる。
Ｐ’／Ｐd＝１０＾（α・２ｔ／２０）・・・式（７）
【００３７】
超硬チップ１０の減衰係数αが既知の場合、式（７）の左辺は超硬チップ１０の厚さｔによる減衰効果の補正率と考えられる。そこで、Ｐ’／Ｐdを減衰効果の補正率Ｒｐ（ｔ）とし、下記の式（８）で表わす。
Ｒｐ（ｔ）＝１０＾（α・ｔ／１０）・・・式（８）
【００３８】
図６のように超音波探傷において、焦点距離を合わせた位置の超硬チップの厚さ寸法をｔ、そこから離れた位置（他の測定点）の厚さをそれぞれｔ＋Δｔおよびｔ−Δｔとすると、それぞれの位置の減衰効果の補正率は次式のようになる。
Ｒｐ（ｔ＋Δｔ）＝１０＾｛α・（ｔ＋Δｔ）／１０｝
Ｒｐ（ｔ）＝１０＾（α・ｔ／１０）
Ｒｐ（ｔ−Δｔ）＝１０＾｛α・（ｔ−Δｔ）／１０｝
ここで、焦点距離を合わせた位置における減衰効果を基準として、端部の減衰効果の補正を行うことを考えると、減衰効果の補正係数Ａt（Δｔ）は、下記の式（９）のように設定できる。
Ａｔ（Δｔ）＝Ｒｐ（ｔ+Δｔ）／｛Ｒｐ（ｔ）｝
＝１０＾｛α・（ｔ＋Δｔ）／１０｝／｛１０＾（α・t／１０）｝
＝１０＾（α・t／１０）×１０＾（α・Δt／１０）／｛１０＾（α・t／１０）｝
＝１０＾（α・Δt／１０）・・・式（９）
【００３９】
式（９）より、各測定点ＰA，ＰB，ＰCにおける補正係数は、図７に示すようになる。ここで、測定点ＰBにおける厚さ寸法が基準厚さ寸法であるので、測定点ＰBの補正係数は１である。
【００４０】
前記の補正については、超硬チップ１０の形状、超音波探触子２の距離振幅特性、超硬チップ１０の減衰係数などを入力データとしてプログラム処理することによって、比較的容易に超音波探傷に連動して行うこともできる。
【００４１】
（超音波探傷検査工程）
超音波探傷検査工程は、複数の測定点Ｐにおいてろう付面３を探傷面として超音波探傷検査を行う工程である。本工程での測定点Ｐは任意の位置でよく、形状測定工程における測定点と同一でなくてもよい。本工程では、水槽（図示せず）内にビット１と超音波探触子２を漬けて、水中で超音波探傷を行う。水槽内には、ビット１を設置する設置台（図示せず）が設けられている。設置台は、設置角度が調整可能になっており、超硬チップ１０の表面１１が上向きで且つ水平になるように、ビット１が設置される。図８に示すように、超音波探触子２は、基準厚さ寸法を有する位置（図７の測定点ＰB）に対応するろう付面３が超音波探触子２の焦点に合うとともに、超音波がろう付面３に直角に入射するように設置される。また、超音波探触子２は、超硬チップ１０の表面１１に沿って移動させる。これによって、超音波探触子２と超硬チップ１０の表面１１との距離を一定にしている。このようにしたことで、他の測定点Ｐにおける測定と比較して、超音波の水中での伝播距離が等しくなるので、測定点Ｐごとの超音波の水中での減衰量が一定となり、補正対象から外すことができる。本実施形態では、超硬チップ１０の表面１１が水平になっているので、超音波探触子２は水平に移動すれば、超硬チップ１０の表面１１に沿って移動することとなり、移動の制御が容易になる。超音波探触子２は、Ｘ，Ｙ，Ｚ軸の各方向に移動可能な走査装置（図示せず）に吊り下げされており、水平面に沿って移動可能になっている。
【００４２】
（補正工程）
次に、補正工程を行う。補正工程は、超音波探傷検査工程で得られた各測定点の測定エコー値に、対応する超硬チップ１０の厚さ寸法から得られる補正係数を乗じて補正エコー値を算出する工程である。なお、各測定点の厚さ寸法は、測定位置と厚さ寸法の関係式である式（１）または式（２）から近似的に求める。そして、この厚さ寸法と基準寸法との差を式（９）に代入して、補正係数を得る。補正工程では、「焦点距離による補正」と「減衰による補正」を組み合わせて補正を行う。なお、「焦点距離による補正」と「減衰による補正」は、適宜一方のみを行ってもよい。超音波の補正エコー値Ｅ”（Δｔ）は、焦点距離による補正によって補正された第一の補正エコー値Ｅ’（ｘ）を用いて、下記の式（１０）で表される。
Ｅ”（Δｔ）＝Ａｔ（Δｔ）×Ｅ’（ｘ）・・・式（１０）
【００４３】
なお、Δｔも焦点距離を合わせた位置からの距離ｘ（超硬チップの厚さ寸法が大きくなる方を正、反対を負とする）の関数（式（１）および式（２））で表わされる。
例えば、α＝０．２、Δｔ＝２．５（ｍｍ）とすると補正係数Ａｔ（＋２．５）＝１．１２２、Ａｔ（−２．５）＝０．８９１となる。
【００４４】
前記の補正による効果を実測して検証した。実測検証は、超硬チップの異なる厚さ寸法の部分に同径の穴を複数あけて、超音波探触子によって超音波探傷検査を行った。この実測検証によれば、補正なしのものより、焦点距離による補正を行ったものの方が、エコー値の誤差が小さく、さらに、焦点距離による補正と減衰による補正を組み合わせて行うと、各測定点における同径の穴の補正エコー値が略等しくなり、同一の精度で検査できることがわかった。
【００４５】
（判定工程）
判定工程は、補正エコー値に基づいてろう付面３のろう付状態の良否を判定する工程である。判定工程では、各測定点Ｐでの補正エコー値を比較して、反射強度が大きくなっている部分を空隙部分Ｓと判定する。補正エコー値の比較は、エコー値を二値化して行えば、容易である。また、図９に示すように、補正エコー値の比較は、数値をモニター信号に変換し色彩化処理して画像表示すれば、視覚的に判定しやすくなる。空隙部分Ｓは、正常な部分と色分けしたり輝度を変えたりして表示される。空隙部分Ｓが一定割合未満であれば、再利用可能と判定し、一定割合以上であれば、再利用不可であると判定する。
【００４６】
以上説明したビット検査方法によれば、ろう付面３の全体にわたって超硬チップ１０の厚さ寸法と基準厚さ寸法との差からエコー値の補正係数を算出して、補正しているので、探傷面全体にわたって同等の精度で探傷検査を行うことができる。したがって、ろう付面３の全体で一様な評価を行うことができ、ろう付状態の良否を正確に判定することができる。特に、「焦点距離による補正」と「減衰による補正」を組み合わせて補正を行っているので、各測定点Ｐにおける精度をより一層等しくすることができる。
【００４７】
また、超音波探触子２を超硬チップ１０の表面１１に沿って移動させているので、各測定点Ｐにおける水中での超音波伝播距離が等しく超音波の減衰効果が一定である。これによって、水中での超音波の減衰効果を考慮しなくてもよいので、補正が容易になる。
【００４８】
また、超音波探触子２は直線状に移動させることができるので、移動が複雑ではなく制御が容易になる。さらに、超硬チップ１０の表面１１を水平に設置しているので、超音波探触子２の移動も水平に移動させればよく、制御がより一層容易になる。
【００４９】
以上、本発明を実施するための形態について説明したが、本発明は前記実施形態に限定されるものではなく、本発明の趣旨を逸脱しない範囲で適宜変更が可能である。例えば、前記実施形態では、超硬チップ１０の表面１１が平面状であるが、これに限定されるものではなく、磨耗状況によっては、若干湾曲している場合もある。この場合は、近似的に平面形状であると判断して、前記各工程を実施すればよい。
【符号の説明】
【００５０】
１      ビット
２      超音波探触子
３      ろう付面
１０    超硬チップ
１１    表面
１２    背面
２０    母材
【図１】
0005709269.tif 000002
【図２】
0005709269.tif 000003
【図３】
0005709269.tif 000004
【図４】
0005709269.tif 000005
【図５】
0005709269.tif 000006
【図６】
0005709269.tif 000007
【図７】
0005709269.tif 000008
【図８】
0005709269.tif 000009
【図９】
0005709269.tif 000010